(57)【特許請求の範囲】
【請求項１】
ユーザ機器（ＵＥ）による、ワイヤレス通信のための方法であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定することと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートすることと、
前記第１のＲＡＴと関連付けられた前記ＵＬリソースグラントを使用して、前記ポピュレートされた未使用のリソースおよび前記利用可能なデータの少なくとも一部分を、送信することと、
を備える、方法。
【請求項２】
前記ポピュレートすることは、
Ｍ系列（ＭＬＳ）を生成して前記ＭＡＣレイヤにおける第１のバッファに前記ＭＬＳを記憶することと、
前記ＭＬＳのビット反転を行って前記ビット反転の出力を、前記ＭＡＣレイヤにおける第２のバッファに記憶することと、
前記ＭＡＣレイヤにおいて非ゼロ値で線形フィードバックシフトレジスタ（ＬＦＳＲ）を開始することと、
前記ＬＦＳＲの最下位ビット（ＬＳＢ）の値がゼロであるとき、前記第１のバッファの内容をＭＡＣ送信バッファにコピーすることと、
を備える、
請求項１に記載の方法。
【請求項３】
前記ＬＦＳＲの内容を１つまたは複数のビット右にシフトすることによって、前記ＬＦＳＲの状態を更新すること、
をさらに備える、
請求項２に記載の方法。
【請求項４】
前記ＬＦＳＲの前記ＬＳＢの前記値が１であるとき、前記第２のバッファの内容を前記ＭＡＣ送信バッファにコピーすること、
をさらに備える、
請求項２に記載の方法。
【請求項５】
前記ポピュレートすることは、
前記ＬＦＳＲの内容を１つまたは複数のビット右にシフトすることによって、前記ＬＦＳＲの状態を更新することと、
接続タップを使用して前記更新の出力に対して排他的ＯＲ（ＸＯＲ）演算を行うことと、ここにおいて、前記接続タップは前記ＬＦＳＲにおけるビット位置である、
をさらに備える、
請求項４に記載の方法。
【請求項６】
前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
請求項１に記載の方法。
【請求項７】
前記第１のＲＡＴは、ＬＴＥバンド番号１３で動作しており、前記第２のＲＡＴは、ＧＮＳＳ  Ｌ１バンドで動作している、
請求項６に記載の方法。
【請求項８】
ユーザ機器（ＵＥ）による、ワイヤレス通信のための装置であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するための手段と、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするための手段と、
前記第１のＲＡＴと関連付けられた前記ＵＬリソースグラントを使用して、前記ポピュレートされた未使用のリソースおよび前記利用可能なデータの少なくとも一部分を、送信するための手段と、
を備える、装置。
【請求項９】
前記ポピュレートするための手段は、
Ｍ系列（ＭＬＳ）を生成して前記ＭＡＣレイヤにおける第１のバッファに前記ＭＬＳを記憶するための手段と、
前記ＭＬＳのビット反転を行って前記ビット反転の出力を、前記ＭＡＣレイヤにおける第２のバッファに記憶するための手段と、
前記ＭＡＣレイヤにおいて非ゼロ値で線形フィードバックシフトレジスタ（ＬＦＳＲ）を開始するための手段と、
前記ＬＦＳＲの最下位ビット（ＬＳＢ）の値がゼロであるとき、前記第１のバッファの内容をＭＡＣ送信バッファにコピーするための手段と、
を備える、
請求項８に記載の装置。
【請求項１０】
前記ＬＦＳＲの内容を１つまたは複数のビット右にシフトすることによって、前記ＬＦＳＲの状態を更新するための手段、
をさらに備える、
請求項９に記載の装置。
【請求項１１】
前記ＬＦＳＲの前記ＬＳＢの前記値が１であるとき、前記第２のバッファの内容を前記ＭＡＣ送信バッファにコピーするための手段、
をさらに備える、
請求項９に記載の装置。
【請求項１２】
前記ポピュレートするための手段は、
前記ＬＦＳＲの内容を１つまたは複数のビット右にシフトすることによって、前記ＬＦＳＲの状態を更新するための手段と、
接続タップを使用して前記更新の出力に対して排他的ＯＲ（ＸＯＲ）演算を行うための手段と、ここにおいて、前記接続タップは前記ＬＦＳＲにおけるビット位置である、
をさらに備える、
請求項１１に記載の装置。
【請求項１３】
前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
請求項８に記載の装置。
【請求項１４】
コンピュータプログラムがコンピュータシステム上で実行されたときに、前記コンピュータシステムに請求項１〜請求項７の方法のステップを実行させるコードを記憶した、コンピュータプログラム。
【請求項１５】
ワイヤレス通信のためのユーザ機器であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するように構成されたリソース決定コンポーネントと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするように構成されたポピュレーティングコンポーネントと、
前記第１のＲＡＴと関連付けられた前記ＵＬリソースグラントを使用して、前記ポピュレートされた未使用のリソースおよび前記利用可能なデータの少なくとも一部分を、送信するように構成された送信コンポーネントと、
を備える、ユーザ機器。
【発明の詳細な説明】
【優先権の主張】
【０００１】
[0001]  本特許出願は、「Pseudo Randomization of Unused Resources at a Medium Access Control (MAC) Layer」と題され、２０１５年７月９日に出願された、非仮特許出願第１４／７９５，７１８号、および「Pseudo Randomization Mechanism for Padding at a Medium Access Control (MAC) Layer」と題され、２０１４年７月１４日に出願された、仮特許出願第６２／０２４，３３８号に対する優先権を主張し、それらは、本出願の譲受人へ譲渡されており、これによって参照により本明細書に明示的に組み込まれている。
【背景技術】
【０００２】
[0002]  本開示は、一般に、通信システムに関し、より具体的には、アップリンク（ＵＬ）上でのデータ送信のための、ユーザ機器（ＵＥ）の媒体アクセスコントロール（ＭＡＣ）レイヤにおける手順（procedures）に関する。
【０００３】
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、自治体、国家、地域、さらには世界レベルで通信することを可能にする共通プロトコルを提供するために、様々な電気通信規格において採用されてきた。台頭しつつある電気通信規格の例は、ロングタームエボリューション（ＬＴＥ（登録商標）：Long Term Evolution）である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。それは、スペクトル効率を改善することによってモバイルブロードバンドインターネットアクセスをより良くサポートし、コストを下げ、サービスを改善し、新たなスペクトルを利用し、ダウンリンク（ＤＬ）上においてＯＦＤＭＡを、アップリンク（ＵＬ）上においてＳＣ−ＦＤＭＡを、および多入力多出力（ＭＩＭＯ）アンテナ技術を使用して、他のオープン規格とより良く統合するよう設計される。しかしながら、モバイルブロードバンドアクセスに対する需要が増大し続けるにつれ、ＬＴＥ技術におけるさらなる改善の必要性が存在する。望ましくは、これらの改善は、他のマルチ接続技術およびこれらの技術を用いる電気通信規格に適用可能であるべきである。
【０００５】
[0005]  いくつかのワイヤレス通信ネットワークにおいて、高調波（harmonics）またはセルラアップリンク（cellular uplink）の高調波の高次積（high order product）は、全地球航法衛星システム（ＧＮＳＳ：global navigation satellite system）受信帯域に該当し得、ＧＮＳＳレシーバが誤りの衛星ビークル（ＳＶ：satellite vehicle）を検出するという結果になり得る、ＧＮＳＳ感度を低下させる。加えて、セルラとＧＮＳＳレシーバがＵＥにおいて共存するとき、ＵＥは、ＧＮＳＳ位置アウトライア（GNSS position outlier）をもたらし得るＧＮＳＳレシーバにおける追加的なマルチトーンジャマー（multi-tone jammer）を作成し得る（create）パディングビット（padding bits）であって、一連のゼロ（a string of zeroes）含んでいるパディングビットを、セルラアップリンク上で送信し得る。
【発明の概要】
【０００６】
[0006]  以下は、１つまたは複数の態様の基本的な理解を提供するために、そのような態様の簡略化された概要を提示する。この概要は、全ての考慮された態様の広範な概観ではなく、全ての態様の主要な（key）または重要な（critical）要素を識別することも、任意のまたは全ての態様の範囲を叙述（delineate）することも意図しない。それの唯一の目的は、後に提示されるより詳細な説明への前置きとして、簡略化された形態で１つまたは複数の態様のいくつかの概念を提示することである。
【０００７】
[0007]  本開示は、ＵＥにおけるワイヤレス通信のための方法および装置例を提示する。たとえば、本開示は、ＵＥにおける送信のために利用可能なデータよりも大きな数のリソースがある場合、ＵＥのための、第１の無線アクセス技術（ＲＡＴ：radio access technology）と関連付けられた、アップリンク（ＵＬ）リソースグラントは、未使用のリソースであるという結果になることを決定することであって、ここにおいて、ＵＥは、第２のＲＡＴと関連付けられた情報を受信するように構成され、第１のＲＡＴは第２のＲＡＴとは異なる、決定することと、媒体アクセスコントロール（ＭＡＣ）レイヤにおいて、未使用のリソースを、疑似ランダム化されたビットでポピュレートすることと、第１のＲＡＴと関連付けられたＵＬリソースグラント（UL resource grant）を使用して、ポピュレートされた未使用のリソースおよび利用可能なデータの少なくとも一部分を、送信することと、を含み得る、ワイヤレス通信のための方法例を提示する。
【０００８】
[0008]  さらに、本開示は、ＵＥにおける送信のために利用可能なデータよりも大きな数のリソースがある場合、ＵＥのための、第１の無線アクセス技術（ＲＡＴ）と関連付けられた、アップリンク（ＵＬ）リソースグラントは、未使用のリソースであるという結果になることを決定するための手段であって、ここにおいて、ＵＥは、第２のＲＡＴと関連付けられた情報を受信するように構成され、第１のＲＡＴは第２のＲＡＴとは異なる、決定するための手段と、媒体アクセスコントロール（ＭＡＣ）レイヤにおいて、未使用のリソースを、疑似ランダム化されたビットでポピュレートするための手段と、第１のＲＡＴと関連付けられたＵＬリソースグラントを使用して、ポピュレートされた未使用のリソースおよび利用可能なデータの少なくとも一部分を、送信するための手段と、を含み得る、ＵＥにおけるワイヤレス通信のための装置を提供する。
【０００９】
[0009]  さらに、本開示は、ＵＥにおける送信のために利用可能なデータよりも大きな数のリソースがある場合、ＵＥのための、第１の無線アクセス技術（ＲＡＴ）と関連付けられた、アップリンク（ＵＬ）リソースグラントは、未使用のリソースであるという結果になることを決定するためのコードであって、ここにおいて、ＵＥは、第２のＲＡＴと関連付けられた情報を受信するように構成され、第１のＲＡＴは第２のＲＡＴとは異なる、決定するためのコードと、媒体アクセスコントロール（ＭＡＣ）レイヤにおいて、未使用のリソースを、疑似ランダム化されたビットでポピュレートするためのコードと、第１のＲＡＴと関連付けられたＵＬリソースグラントを使用して、ポピュレートされた未使用のリソースおよび利用可能なデータの少なくとも一部分を、送信するためのコードと、を含み得る、ワイヤレス通信のためのコンピュータ実行可能コードを記憶する非一時的なコンピュータ可読媒体を提供する。
【００１０】
[0010]  加えて、本開示は、ＵＥにおける送信のために利用可能なデータよりも大きな数のリソースがある場合、ＵＥのための、第１の無線アクセス技術（ＲＡＴ）と関連付けられた、アップリンク（ＵＬ）リソースグラントは、未使用のリソースであるという結果になることを決定するように構成されたリソース決定コンポーネントであって、ここにおいて、ＵＥは、第２のＲＡＴと関連付けられた情報を受信するように構成され、第１のＲＡＴは第２のＲＡＴとは異なる、リソース決定コンポーネントと、媒体アクセスコントロール（ＭＡＣ）レイヤにおいて、未使用のリソースを、疑似ランダム化されたビットでポピュレートするように構成されたポピュレーティングコンポーネントと、第１のＲＡＴと関連付けられたＵＬリソースグラントを使用して、ポピュレートされた未使用のリソースおよび利用可能なデータの少なくとも一部分を、送信するように構成された送信コンポーネントと、を含み得る、ワイヤレス通信のための装置を提供する。
【００１１】
[0011]  前述した、および関連した目的の達成のために、１つまたは複数の態様は、以下に十分に説明され、および、特許請求の範囲内において特に指摘される特徴を備える。次の説明および付属の図面は、１つまたは複数の態様の、ある特定の例示的な特徴を詳細に説明（set forth）する。これらの特徴は、しかしながら、様々な態様の原理が用いられ得る様々な方法（various ways）の、ほんのいくらかを示し、この説明は、全てのそのような態様およびそれらの同等物を含むよう意図される。
【図面の簡単な説明】
【００１２】
【図１Ａ】[0012]  図１Ａは、ＬＴＥおよびＧＮＳＳシステムにおける周波数の構成例を例示する。
【図１Ｂ】図１Ｂは、ＬＴＥおよびＧＮＳＳシステムにおける周波数の構成例を例示する。
【図２】[0013]  図２は、本開示の態様におけるワイヤレスシステム例を例示するブロック図である。
【図３】[0014]  図３は、本開示の態様における方法例の態様を例示するフローダイヤグラムである。
【図４】[0015]  図４は、本開示の態様におけるアップリンク送信マネジャの例を例示するブロック図である。
【図５】[0016]  図５は、本開示の一態様によるネットワークアーキテクチャの例を例示する図である。
【図６】[0017]  図６は、本開示の一態様によるアクセスネットワークの例を例示する図である。
【図７】[0018]  図７は、本開示の一態様に従って、ＬＴＥにおけるＤＬフレーム構造の例を例示する図である。
【図８】[0019]  図８は、本開示の一態様に従って、ＬＴＥにおけるＵＬフレーム構造の例を例示する図である。
【図９】[0020]  図９は、本開示の一態様に従って、ユーザおよび制御プレーン（the user and control planes）のための無線プロトコルアーキテクチャの例を例示する図である。
【図１０】[0021]  図１０は、本開示の一態様に従って、アクセスネットワーク内における発展型ノードＢ（evolved Node B）およびユーザ機器の例を例示する図である。
【図１１】[0022]  図１１は、本開示の一態様による、装置例における異なるモジュール（modules）／手段（means）／コンポーネント（components）間のデータフローを例示する概念データフローダイヤグラム（conceptual data flow diagram）である。
【図１２】[0023]  図１２は、本開示の一態様による、処理システムを用いる（employ）装置のためのハードウェアインプリメンテーション（hardware implementation）の例を例示する図である。
【詳細な説明】
【００１３】
[0024]  添付された図面に関連して以下に記載される（set forth）詳細な説明は、様々な構成の説明として意図され、本明細書に説明される概念が実施され得るのはそれらの構成のみであることを表す（represent）ようには意図されない。詳細な説明は、様々な概念の完全な理解を提供することを目的とした特定の詳細を含む。しかしながら、これらの概念がこれらの特定の詳細なしに実施され得ることは、当業者にとって明らかであろう。いくつかの事例では、そのような概念を不明瞭にすることを避けるために、周知のコンポーネントはブロック図の形態で示される。
【００１４】
[0025]  電気通信システムのいくつかの態様が、様々な装置および方法に関連して、これから提示される。これらの装置および方法は、以下の詳細な説明において説明され、添付の図面において、様々なブロック、モジュール、コンポーネント、回路、ステップ、処理、アルゴリズム等（集合的には「要素」と称される）によって例示されることになる。これらの要素は、電子ハードウェア、コンピュータソフトウェア、またはそれらの任意の組み合わせを使用して、インプリメントされ得る。そのような要素がハードウェアとしてインプリメントされるか、またはソフトウェアとしてインプリメントされるかは、特定の用途およびシステム全体に課せられる設計制約に依存する。
【００１５】
[0026]  例として、要素、または要素の任意の一部、あるいは要素の任意の組み合わせは、１つまたは複数のプロセッサを含む「処理システム」を用いてインプリメントされ得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路、および本開示全体を通じて説明される様々な機能性を果たす（perform the various functionality）ように構成された他の好適なハードウェアを含む。処理システム中の１つまたは複数のプロセッサは、ソフトウェアを実行し得る。ソフトウェア、ファームウェア、ミドルウェア、マイクロコード、ハードウェア記述言語、またはその他の呼称に関係なく、ソフトウェアは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、ファンクション（function）等を意味するように広く解釈されるべきである。
【００１６】
[0027]  それ故に、１つまたは複数の態様例において、説明される機能（function）は、ハードウェア、ソフトウェア、ファームウェア、またはそれらの任意の組み合わせにおいてインプリメントされ得る。ソフトウェアにおいてインプリメントされる場合、それら機能は、コンピュータ可読媒体上で、１つまたは複数の命令またはコードとして符号化され得るか、またはそれ上に記憶され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令またはデータ構造の形態で所望のプログラムコードを搬送または記憶するために使用されることができ、コンピュータによってアクセスされることができる他の任意の媒体を備えることができる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクを含み、ここで、ディスク（disk）は、通常、磁気的にデータを再生し、一方ディスク（disc）は、レーザーを用いて光学的にデータを再生する。上記の組み合わせもまた、コンピュータ可読媒体の範囲内に含まれるべきである。
【００１７】
[0028]  図１Ａは、ＬＴＥバンド１３アップリンク（LTE Band 13 uplink）の例の周波数の詳細を例示する。たとえば、ＬＴＥバンド１３アップリンクの第１の高調波の周波数範囲は、７７７、７８２、および、７８７ＭＨｚの低、中、高周波数を有する、７７７ＭＨｚ〜７８７ＭＨｚである。ＬＴＥバンド１３の第２の高調波の高周波（high frequency）は、１５７４ＭＨｚである。第２の高調波の周波数範囲は、下記の図２を参照して説明されるように、第１の高調波の周波数範囲を、２倍で（by a factor of two）乗算すること（たとえば、２ｘ７７７；２ｘ７８７）によって、計算される。
【００１８】
[0029]  図１Ｂは、ＧＮＳＳ  Ｌ１バンド(GNSS L1 band)の中心周波数の例を例示する。たとえば、ＧＮＳＳ  Ｌ１バンドの第１の高調波の中心周波数は、１５７５．４２ＭＨｚである。図１Ａおよび１Ｂに例示されているように、ＬＴＥバンド１３  ＵＬ（１５７４ＭＨｚ）の第２の高調波の周波数は、ＵＥ２０２における通信（たとえば、ＧＮＳＳ通信）に影響し得る、ＵＥにおける干渉という結果をもたらすＧＮＳＳ  Ｌ１バンドの周波数により近い。
【００１９】
[0030]  図２を参照すると、ユーザ機器（ＵＥ）におけるワイヤレス通信を容易にするワイヤレス通信システム２００が例示されている。たとえば、ワイヤレス通信システム２００は、１つまたは複数の無線リンク（over-the-air links）、２２４および／または２２６を介してネットワークエンティティ２２０と通信し得るＵＥ２０２を含む。一態様において、ネットワークエンティティ２２０は、ＵＥ２０２との通信をサポートするための、１つまたは複数のセル２２２を含み得る。一態様において、たとえば、リンク２２４は、ＵＥ２０２からネットワークエンティティ２２０および／またはセル２２２への通信をサポートするためのアップリンク（ＵＬ）として構成され得、リンク２２６は、ネットワークエンティティ２２０および／またはセル２２２からＵＥ２０２への通信をサポートするためのダウンリンク（ＤＬ）として構成され得る。
【００２０】
[0031]  一態様において、たとえば、ＵＥ２０２は、ネットワークエンティティ２２０および／またはセル２２２とのセルラ通信をサポートするためのセルラトランシーバ２０４を含み得、また、位置に基づくサービスをサポートするための全地球航法衛星システム（ＧＮＳＳ）レシーバ２１０（たとえば、Ｅ９１１、ナビゲーションシステム等）を含み得る。追加的または選択的な態様において、セルラトランシーバ２０４およびＧＮＳＳレシーバ２１０は、共存し得る（たとえば、ＵＥ２０２において共同で位置される（co-located））。さらなる追加的な態様において、ＵＥ２０２は、３ＧＰＰ仕様書によって定義された無線アクセス技術（ＲＡＴ）規格（たとえば、ＬＴＥ、Ｗ−ＣＤＭＡ（登録商標）、ＧＮＳＳ等）のうちの何れかで動作し得る。
【００２１】
[0032]  一態様例において、ＵＥ２０２および／またはセルラトランシーバ２０４は、ロングタームエボリューション（ＬＴＥ）ＲＡＴ規格で動作するように構成され得る。たとえば、ＵＥ２０２および／またはセルラトランシーバ２０４は、ＬＴＥバンド１３において、７７７ＭＨｚ（低）、７８２ＭＨｚ（中）、および７８７ＭＨｚ（高）というＵＬ周波数で、動作するように構成され得、および／または、ＧＮＳＳレシーバ２１０は、全地球測位システム（ＧＰＳ：global positioning system）Ｌ１バンドにおいて、１５１５．４２ＭＨｚの中心周波数で、動作するように構成され得る。
【００２２】
[0033]  一態様において、たとえば、ＵＥ２０２が、ＬＴＥバンド１３において動作している時、ＬＴＥバンド１３ＵＬの周波数を２倍で乗算することによって計算されたＵＬ２２４の第２の高調波は、ＧＰＳ  Ｌ１バンドの周波数に近い。これは、ＧＮＳＳレシーバ２１０の感度の低下という結果になり得る。すなわち、ＬＴＥバンドの第２の高調波の周波数、１５７４ＭＨｚ（たとえば、２ｘ７８７ＭＨｚ＝１５７４ＭＨｚ）は、１５７５．４２ＭＨｚ、つまり（受信側での）ＧＮＳＳ  Ｌ１バンドの周波数により近い。ＧＮＳＳレシーバ２１０の感度の低下は、ＧＮＳＳレシーバでの誤警報（false alarms）という結果になり得る。たとえば、一態様において、ＧＮＳＳレシーバ２１０での誤警報は、ＧＮＳＳレシーバ２１０が、誤った衛星ビークル（ＳＶ）を検出する形態であり得る。すなわち、ＬＴＥバンド１３におけるＵＬ２２４上のセルラトランシーバ２０４から送信されたデータからの干渉が、ＧＮＳＳレシーバ２１０によって、衛星ビークル（ＳＶ）から来るデータとして誤って識別または解釈され得る。
【００２３】
[0034]  追加的な態様において、ＧＮＳＳレシーバ２１０における誤警報は、ＵＥ２０２が、ＵＥにおける送信のために利用可能なデータのために必須の（required）（または必要とされる）リソース（またはリソースブロック、ＲＢ）よりも多くの数のリソースよりも大きな数のリソースを授与（granted）される状況で、大部分は観察され得る。すなわち、ＧＮＳＳレシーバ２１０での誤警報は、ＵＥにおける送信のために利用可能なデータよりも大きな数のリソースがある場合の状況で、大部分は観察され得る。
【００２４】
[0035]  たとえば、一態様において、ＵＥ２０２は、ＵＬ上でＵＥ２０２において利用可能なデータを送信するために６つのＲＢを必要とし得る。しかしながら、ＵＥが、ＵＥにおける送信のために利用可能なデータよりも大きな数のリソース、たとえば、１２ＲＢ、を授与された場合、ＵＥ２０２の媒体アクセスコントロール（ＭＡＣ）レイヤは、ＭＡＣレイヤにおける未使用のリソースを、３ＧＰＰ仕様書（たとえば、Evolved Universal Terrestrial Radio Access (E-UTRA) Medium Access Control (MAC) protocol specification, TS 36.321）に定義された全てのゼロを含み得る疑似ランダム化されたビットでポピュレートし得る。
【００２５】
[0036]  しかしながら、セルラトランシーバ２０４およびＧＮＳＳレシーバ２１０が、ＵＥ２０２において共存する（または、共同で位置する）とき、未使用のリソースのポピュレーティングに関連したセルラトランシーバ２０４からのＵＬ２２４上での全てのゼロの周期的な送信は、ＧＮＳＳレシーバ２１０において誤ったＳＶ検出という結果をもたらす、ＧＮＳＳレシーバ２１０におけるマルチトーンジャマーおよび／または位置アウトライア、たとえば、ＧＮＳＳレシーバ２１０における間違った位置情報、を作成し得る。これは、ＧＮＳＳレシーバ２１０によって計算された位置情報が、使用されるかまたは他のアプリケーション、たとえば、Ｅ９１１、ナビゲーションシステム等によって信頼される場合、重大な問題を引き起こし得る。加えて、データ信号は、よりいっそう高い電力レベルで送信される（たとえば、パイロット信号は、ＵＬ上でデータ信号のおよそ１／１０の電力で送信される）ので、位置情報を計算することに関連したインパクト（impact）は、データ信号送信（対パイロット信号送信）によりいっそう関連するようになる。
【００２６】
[0037]  一態様において、ネットワークエンティティ２２０は、任意のタイプのネットワークコンポーネントのうちの１つまたは複数を含み得、それらはたとえば、ネットワークエンティティ２２０とそれぞれ通信するために、ＵＥ２０２に、通信することおよび／またはリンク２２４および／または２２６を確立および維持することを可能にすることができる、基地局（ＢＳ）あるいはノードＢまたはｅノードＢあるいはフェムトセルを含むアクセスポイント、リレイ、ピアツーピアデバイス、認証認可アカウンティング（ＡＡＡ：authorization and accounting）サーバ、モバイルスイッチングセンター（ＭＳＣ：mobile switching center）、ラジオネットワークコントローラ（ＲＮＣ：radio network controller）等である。
【００２７】
[0038]  追加的な態様において、ＵＥ２０２は、モバイル装置であり得、また、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、または他の何らかの好適な用語で呼ばれ得る。
【００２８】
[0039]  一態様において、ＵＥ２０２および／またはアップリンク送信マネジャ２０６は、ＵＥにおける送信のために利用可能なデータよりも大きな数のリソースがある場合、ＵＥのための、第１の無線アクセス技術（ＲＡＴ）と関連付けられた、アップリンク（ＵＬ）リソースグラントは、未使用のリソースであるという結果になることを決定することであって、ここにおいて、ＵＥは、第２のＲＡＴと関連付けられた情報を受信するように構成され、第１のＲＡＴは第２のＲＡＴとは異なる、決定することと、媒体アクセスコントロール（ＭＡＣ）レイヤにおいて、未使用のリソースを、疑似ランダム化されたビットでポピュレートすることと、第１のＲＡＴと関連付けられたＵＬリソースグラントを使用して、ポピュレートされた未使用のリソースおよび利用可能なデータの少なくとも一部分を、送信することと、をし得る。
【００２９】
[0040]  追加的または選択的な態様において、ＵＥ２０２および／またはアップリンク送信マネジャ２０２は、Ｍ系列（ＭＬＳ：maximum length sequence）を生成してＭＡＣレイヤにおける第１のバッファにＭＬＳを記憶することと、ＭＬＳのビット反転（a bit inversion）を行ってビット反転の出力を、ＭＡＣレイヤにおける第２のバッファに記憶することと、ＭＡＣレイヤにおいて非ゼロ値で線形フィードバックシフトレジスタ（ＬＦＳＲ：linear feedback shift register）を開始する（initiating）ことと、ＬＦＳＲの最下位ビット（ＬＳＢ：least significant bit）の値（value）がゼロであるとき、第１のバッファの内容をＭＡＣ送信バッファにコピーすることと、によって、未使用のリソースをポピュレートし得る。さらなる追加的または選択的な態様において、ＵＥ２０２および／またはアップリンク送信マネジャ２０２は、ＬＦＳＲのＬＳＢの値が１であるとき、第２のバッファの内容をＭＡＣ送信バッファにコピーし得る。
【００３０】
[0041]  図３は、ユーザ機器（ＵＥ）におけるワイヤレス通信のための方法論３００の例を例示する。
【００３１】
[0042]  それらの方法は、説明の簡潔性という目的のために一連の行為（acts）として示されおよび説明される。しかしながら、いくつかの行為は、１つまたは複数の態様に従って、本明細書に示されおよび説明されたものとは、異なる順序で、および／または、その他の行為と同時に、起こり得るので、それらの方法（およびそれらに関連するさらなる方法）は、行為の順序によって限定されないことが理解および認識されるべきである。たとえば、それらの方法は、状態図におけるように、一連の相互に関係する状態またはイベントとして代替的に表わされ得ることを認識されたい。さらに、本明細書において説明される１つまたは複数の特徴に従って方法をインプリメントするために、全ての例示された行為が必須とされ得る訳ではない。
【００３２】
[0043]  一態様において、ブロック３１０において、方法論３００は、ＵＥにおける送信のために利用可能なデータよりも大きな数のリソースがある場合、ＵＥのための、第１の無線アクセス技術（ＲＡＴ）と関連付けられた、アップリンク（ＵＬ）リソースグラントは、未使用のリソースであるという結果になることを決定することであって、ここにおいて、ＵＥは、第２のＲＡＴと関連付けられた情報を受信するように構成される、決定すること、を含み得る。たとえば、一態様において、ＵＥ２０２における送信のために利用可能なデータよりも大きな数のリソースがある場合、ＵＥ２０２のための、第１の無線アクセス技術（ＲＡＴ）と関連付けられた、アップリンク（ＵＬ）リソースグラントは、未使用のリソースであるという結果になることを決定するため、ＵＥ２０２および／またはアップリンク送信マネジャ２０６は、特別にプログラムされたプロセッサモジュール、またはメモリに記憶された特別にプログラムされたコードを実行するプロセッサを含み得、ここにおいて、ＵＥ２０２は、第２のＲＡＴと関連付けられた情報を受信するように構成される。
【００３３】
[0044]  一態様において、ネットワークエンティティ２２０および／またはセル２２２は、リソース（たとえば、リソースグラント、リソースブロック等）を、ＵＥ２０２からセル２２２へＵＬ２２４上でデータを送信するために、ＵＥ２０２に、授与し得る。しかしながら、ＵＥ２０２は、ＵＥ２０２の送信バッファにおける送信のために利用可能なデータよりも大きな（または多い）数のリソースを授与され得る（すなわち、ＵＥ２０２に授与されるリソースの数は、ＵＥ２０２において利用可能なデータの送信に必要とされるリソースの数よりも大きい）。たとえば、ＵＥ２０２は、ＵＥ２０２において利用可能なデータをＵＬ２２４上でネットワークエンティティ２２０および／またはセル２２２に送信するために６つのリソースブロック（ＲＢ）のみを必要とし得、およびＵＥは、１２個のＲＢを授与され得る。例として、一態様において、リソースグラントは、第１のＲＡＴ（たとえば、ＬＴＥ）と関連付けられ得、およびＵＥはまた、第２のＲＡＴ（たとえば、ＧＮＳＳ）上でデータを受信することをサポートし得る。追加的な態様において、第１および第２のＲＡＴは、異なるＬＴＥ帯域（bands）上であるが、同じＲＡＴ、たとえば、ＬＴＥ  ＲＡＴ、であり得る。すなわち、ＵＥは、２つのＬＴＥ帯域上で、同時に動作していることが可能である。
【００３４】
[0045]  一態様において、ブロック３２０において、方法論３００は、媒体アクセスコントロール（ＭＡＣ）レイヤにおいて、未使用のリソースを、疑似ランダム化されたビットでポピュレートすることを含み得る。たとえば、一態様において、媒体アクセスコントロール（ＭＡＣ）レイヤにおいて、未使用のリソースを、疑似ランダム化されたビットでポピュレートするために、ＵＥ２０２および／またはアップリンク送信マネジャ２０６は、特別にプログラムされたプロセッサモジュール、またはメモリに記憶された特別にプログラムされたコードを実行するプロセッサを含み得る。
【００３５】
[0046]  たとえば、ＵＥ２０２および／またはアップリンク送信マネジャ２０６は、アップリンクリソースグラントが、ＵＥにおいて未使用のリソースであるという結果になることを決定するとき、ＵＥ２０２および／またはアップリンク送信マネジャ２０６は、未使用のリソースを、疑似ランダム化されたビットでポピュレートし得る。一態様において、未使用のリソースを、疑似ランダム化されたビットでポピュレートすることは、ＵＥ２０２のＭＡＣレイヤで行われ得る。
【００３６】
[0047]  例として、一態様において、未使用のリソースを、疑似ランダム化されたビットでポピュレートすることは、ＵＥ２０２および／またはアップリンク送信マネジャ２０６が、Ｍ系列（ＭＬＳ）を生成してＵＥのＭＡＣレイヤにおけるバッファ（たとえば、第１のバッファ）にＭＬＳを記憶することと、ＭＬＳのビット反転を行ってビット反転の出力を、ＭＡＣレイヤにおける異なるバッファ（たとえば、第２のバッファ）に記憶することと、ＭＡＣレイヤにいて非ゼロ値で線形フィードバックシフトレジスタ（ＬＦＳＲ）を開始すること、を含み得る。追加的または選択的な態様において、ＵＥ２０２および／またはリソースポピュレーティングマネジャは、ＬＦＳＲの最下位ビット（ＬＳＢ）の値がゼロであるとき、第１のバッファの内容をＭＡＣ送信バッファにコピーし得る。
【００３７】
[0048]  たとえば、ＵＥ２０２および／またはアップリンク送信マネジャ２０６は、周期的であり、且つシフトレジスタによって表わされる（ゼロベクトルを除く）すべてのバイナリシーケンス（binary sequence）を再生することができる、ビット列として一般に定義され得るＭ系列（ＭＬＳ）またはｍシーケンス（m-sequence）を生成し得る。たとえば、ＭＬＳは、疑似ランダムバイナリシーケンスであり得、既約多項式（irreducible polynomials）の係数で表わされる。たとえば、一態様において、タップ（taps）＝０ｘ１０００００４に対応する多項式Ｘ２５＋Ｘ２３＋１が使用され得る。例として、一態様において、ｍシーケンス生成器（ＵＥ２０２および／またはアップリンク送信マネジャ２０６に位置する）は、１２８ビットの疑似ランダムバイナリシーケンスを生成し、およびＵＥのＭＡＣレイヤにおけるバッファ（たとえば、第１のバッファ）に、生成されたＭＬＳを記憶するために使用され得る。追加的な態様において、ＵＥ２０２および／またはアップリンク送信マネジャ２０６は、第１のバッファに記憶された疑似ランダムバイナリシーケンスの反転を行い、ＵＥのＭＡＣレイヤにおいて、別のバッファ（たとえば、第２のバッファ）に反転の出力を記憶し得る。
【００３８】
[0049]  一態様において、ＵＥ２０２および／またはアップリンク送信マネジャ２０６は、疑似ランダムシーケンスを生成するために使用される、それの入力がそれの以前の状態の一次関数（a linear function）であるシフトレジスタとして一般に定義される、線形フィードバックシフトレジスタ（ＬＦＳＲ）を開始し得、そしてそれは、ソフトウェア、ハードウェア、ファームウェア、および／または組み合わせによって、インプリメントされ得る。
【００３９】
[0050]  たとえば、一態様において、ＬＦＳＲ入力の入力ビットは、全体のシフトレジスタ値のいくつかのビットの排他的ＯＲ（ＸＯＲ）（exclusive OR (XOR)）によって、駆動され得る。ＬＦＳＲが開始されたとき、ＬＦＳＲの初期値は、シードと呼ばれ、レジスタの演算は決定性（deterministic）であるため、レジスタによって生じさせられた値のストリーム（the stream of values）は、それの現在の（または以前の）状態によって決定され得る。加えて、レジスタは有限数の見込まれる状態を有するので、それは、最終的に、繰り返し周期（repeating cycle）に入り得る。しかしながら、適切なフィードバック機能（a well-chosen feedback function）を有するＬＦＳＲは、一見ランダムのようであり得、且つ非常に長い周期を有し得る、ビットの列（a sequence of bits）を生じさせ得る。たとえば、一態様において、ＵＥ２０２および／またはアップリンク送信マネジャ２０６は、非ゼロ値で、ＬＦＳＲを開始し得る。
【００４０】
[0051]  一態様において、ＵＥ２０２および／またはアップリンク送信マネジャ２０６は、ＬＦＳＲの最下位ビット（ＬＳＢ）の値がゼロかどうかを決定し得る。たとえば、ＬＦＳＲのＬＳＢは、ＬＦＳＲの最右のビット（right most bit）である。ＵＥ２０２および／またはアップリンク送信マネジャ２０６が、ＬＦＳＲのＬＳＢの値がゼロであることを決定するとき、ＵＥ２０２および／またはアップリンク送信マネジャ２０６は、ＵＥ２０２からのデータを、ＵＬ２２４上で、ネットワークエンティティ２２０および／またはセル２２２に送信するために、第１のバッファの内容をＭＡＣ送信バッファにコピーし得る。追加的または選択的な態様において、ＵＥ２０２および／またはアップリンク送信マネジャ２０６が、ＬＦＳＲのＬＳＢの値が１であることを決定するとき、ＵＥ２０２および／またはアップリンク送信マネジャ２０６は、ＵＥ２０２からのデータを、ＵＬ２２４上で、ネットワークエンティティ２２０および／またはセル２２２に送信するために、第２のバッファの内容をＭＡＣ送信バッファにコピーし得る。
【００４１】
[0052]  追加的または選択的な態様において、方法論３００は、ＬＦＳＲの状態を更新し得る。たとえば、ＵＥ２０２および／またはアップリンク送信マネジャ２０６が、（たとえば、ＬＦＳＲのＬＳＢの値がゼロであるときに）第１のバッファの内容をＭＡＣ送信バッファにコピーするとき、ＬＦＳＲの状態は、ＬＦＳＲの内容を１ビット右にシフトすることによって更新され得る。さらなる追加的または選択的な態様において、ＵＥ２０２および／またはアップリンク送信マネジャ２０６が、（たとえば、ＬＦＳＲのＬＳＢの値が１であるときに）第２のバッファの内容をＭＡＣ送信バッファにコピーするとき、ＬＦＳＲの状態は、ＬＦＳＲの内容を１ビット右にシフトすること、および、接続タップ（connection taps）を使用してその更新された状態の出力に対して排他的ＯＲ（ＸＯＲ）演算を行うことによって、更新され得る。一態様において、接続タップは、ＵＥの次の状態に影響する、ＬＦＳＲにおけるビット位置であり得る。
【００４２】
[0053]  追加的または選択的な態様において、ＵＥ２０２および／またはアップリンク送信マネジャ２０６は、ＭＡＣ  ＰＤＵの終端にある未使用のリソースを（たとえば、１つまたは複数のポピュレーティングバイトを使用して）ポピュレーティングすることを行い得る。パディングはＵＥにおいて行われるので、ＵＥは、パディングがＵＬ上での送信のためにいつ行われるのかの知識を有する。
【００４３】
[0054]  一態様において、ＵＥ２０２および／またはアップリンク送信マネジャ２０６は、ＵＥが、ＬＴＥおよび／またはＧＮＳＳ  ＲＡＴで動作するように構成されるときに、未使用のリソースを（たとえば、１つまたは複数のポピュレーティングバイトを使用して）ポピュレーティングすることを行い得る。追加的または選択的な態様において、ＵＥ２０２（たとえば、セルラトランシーバ２０４）は、ＬＴＥ  Ｂ１３周波数帯域で動作するように構成され得、および／またはＧＮＳＳレシーバ２１０は、ＧＮＳＳ  Ｌ１バンドを動作させるように構成され得る。
【００４４】
[0055]  追加的な態様において、ＵＥがＬＴＥにおいて動作するように構成され、且つＧＮＳＳレシーバ２１０が、ＵＥ２０２においてセルラトランシーバ２０４と共存しないとき、ＵＥ２０２および／またはアップリンク送信マネジャ２０６は、未使用のリソースを（たとえば、１つまたは複数のポピュレーティングバイトを使用して）ポピュレーティングすることを行い得る。たとえば、ＧＮＳＳレシーバ２１０は、ＵＥ２０２の付近（in the vicinity）（たとえば、１メートル）にあり得る。上記で説明されたリソースのポピュレーティングは、ＧＮＳＳレシーバ２１０で生じさせられたマルチトーンジャマーを低減または取り除き（eliminate）得る。
【００４５】
[0056]  図４を参照すると、アップリンク送信マネジャ２０６の例およびユーザ機器（ＵＥ）におけるワイヤレス通信のための様々なサブコンポーネントが例示されている。一態様例において、アップリンク送信マネジャ２０６は、リソース決定コンポーネント４０２、ポピュレーティングコンポーネント４０４、送信コンポーネント４０６、および／または状態更新コンポーネント４０８の形態で、特別にプログラムされたプロセッサモジュール、またはメモリに記憶された特別にプログラムされたコードを実行するプロセッサを含むように構成され得る。一態様において、コンポーネントは、システムを構成するパーツのうちの１つであり得、ハードウェアまたはソフトウェアであり得、そして他のコンポーネントへ分割され得る。
【００４６】
[0057]  一態様において、アップリンク送信マネジャ２０６および／またはリソース決定コンポーネント４０２は、ＵＥにおける送信のために利用可能なデータよりも大きな数のリソースがある場合、ＵＥのための、第１の無線アクセス技術（ＲＡＴ）と関連付けられた、アップリンク（ＵＬ）リソースグラントは、未使用のリソースであるという結果になることを決定するように構成され得る。たとえば、一態様において、リソース決定コンポーネント４０２は、ＵＥにおける送信のために利用可能なデータよりも大きな数のリソースがある場合、ＵＥ２０２のための、第１のＲＡＴ（たとえば、ＬＴＥ）と関連付けられた、アップリンク（ＵＬ）リソースグラントは、未使用のリソースであるという結果になることを決定するように構成され得る。追加的な態様において、ＵＥ２０２は、第２のＲＡＴ（たとえば、ＧＮＳＳ  ＲＡＴ）にも関連付けられた情報を受信するように構成され得る。
【００４７】
[0058]  一態様において、アップリンク送信マネジャ２０６および／またはポピュレーティングコンポーネント４０４は、媒体アクセスコントロール（ＭＡＣ）レイヤにおいて、未使用のリソースを、疑似ランダム化されたビットでポピュレートするように構成され得る。たとえば、一態様において、ポピュレーティングコンポーネント４０４は、疑似ランダム化されたビット（たとえば、疑似ランダム化された非ゼロ値ビット（pseudo-randomized non-zero value bits））で、ＵＥ１０２のＭＡＣレイヤにおける未使用のリソースをポピュレートするように構成され得る。
【００４８】
[0059]  一態様において、アップリンク送信マネジャ２０６および／または送信コンポーネント４０６は、第１のＲＡＴと関連付けられたＵＬリソースグラントを使用して、ポピュレートされた未使用のリソースおよび利用可能なデータの少なくとも一部分を、送信するように構成され得る。たとえば、一態様において、送信コンポーネント４０６は、第１のＲＡＴ（たとえば、ＬＴＥ）と関連付けられたＵＬリソースグラントを使用して、ポピュレートされた未使用のリソース（たとえば、疑似ランダム化されたビットでポピュレートされた）および利用可能なデータの少なくとも一部分を、送信するように構成され得る。
【００４９】
[0060]  選択的な一態様において、アップリンク送信マネジャ２０６および／または状態更新コンポーネント４０８は、ＬＦＳＲの内容を１または複数ビット右にシフトすることによって、ＬＦＳＲの状態を更新するよう選択的に構成され得る。さらなる選択的な態様において、アップリンク送信マネジャ２０６および／または状態更新コンポーネント４０８は、ＬＦＳＲの内容を１または複数ビット右にシフトすることによって、ＬＦＳＲの状態を更新し、および接続タップを使用してその更新の出力に対して排他的ＯＲ（ＸＯＲ）演算を行うように選択的に構成され得、ここにおいて、接続タップはＬＦＳＲにおけるビット位置である。
【００５０】
[0061]  図５は、ＬＴＥネットワークアーキテクチャ５００を例示する図である。ＬＴＥネットワークアーキテクチャ５００は、発展型パケットシステム（ＥＰＳ：Evolved Packet System）と称され得る。ＥＰＳは、ＵＥ２０２のうちの１つまたは複数を含み得、それは、ＵＥ２０２におけるワイヤレス通信のために構成されたアップリンク送信マネジャ２０６（図２および４）を含み得る。加えて、ＥＰＳは、発展型ＵＭＴＳ地上波無線アクセスネットワーク（Ｅ−ＵＴＲＡＮ：Evolved UMTS Terrestrial Radio Access Network）５０４、発展型パケットコア（ＥＰＣ：Evolved Packet Core）５１０、ホーム加入者サーバ（ＨＳＳ：Home Subscriber Server）５２０、および、オペレータのＩＰサービス（Operator’s IP Services）５２２を含む。ＥＰＳは、他のアクセスネットワークと相互に接続されることができるが、簡潔性のため、それらのエンティティ／インタフェースは、図示されない。示されるように、ＥＰＳは、パケット交換サービスを提供するが、当業者が容易に理解するように、本開示全体を通じて提示される様々な概念は、回路交換サービスを提供するネットワークに拡張され得る。
【００５１】
[0062]  Ｅ−ＵＴＲＡＮは、発展型ノードＢ（ｅＮＢ）５０６および他のｅＮＢ５０８を含む。ｅＮＢ５０６は、ＵＥ２０２に対するユーザおよび制御プレーンプロトコル終端を提供する。ｅＮＢ５０６は、バックホール（たとえば、Ｘ２インタフェース）を介して他のｅＮＢ５０８と接続され得る。ｅＮＢ５０６はまた、基地局、ベーストランシーバ局、無線基地局、無線トランシーバ、トランシーバ機能、基本サービスセット（ＢＳＳ）、拡張サービスセット（ＥＳＳ）、または他の何らかの好適な用語で呼ばれ得る。ｅＮＢ５０６は、ＵＥ２０２のためにＥＰＣ５１０へのアクセスポイントを提供する。ＵＥ２０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（たとえば、ＭＰ３プレイヤ）、カメラ、ゲーム機、または他の任意の同様に機能するデバイスを含む。ＵＥ２０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の何らかの好適な用語で呼ばれ得る。
【００５２】
[0063]  ｅＮＢ５０６は、Ｓ５インタフェースによってＥＰＣ５１０に接続される。ＥＰＣ５１０は、モビリティ管理エンティティ（ＭＭＥ：Mobility Management Entity）５１２、他のＭＭＥ５１４、サービングゲートウェイ（Serving Gateway）５１６、およびパケットデータネットワーク（ＰＤＮ：Packet Data Network）ゲートウェイ５１８を含む。ＭＭＥ５１２は、ＵＥ２０２とＥＰＣ５１０との間のシグナリングを処理する制御ノードである。一般に、ＭＭＥ５１２は、ベアラおよび接続管理を提供する。全てのユーザＩＰパケットは、サービングゲートウェイ５１６を通じて転送され、それは、それ自体が、ＰＤＮゲートウェイ５１８に接続される。ＰＤＮゲートウェイ５１８は、ＵＥ  ＩＰアドレス割り振りおよび他の機能を提供する。ＰＤＮゲートウェイ５１８は、オペレータのＩＰサービス５２２に接続される。オペレータのＩＰサービス５２２は、インターネット、イントラネット、ＩＰマルチメディアサブシステム（ＩＭＳ）、およびＰＳストリーミングサービス（ＰＳＳ）を含み得る。
【００５３】
[0064]  図６は、本明細書において検討されるように、１つまたは複数のＵＥ６０６がそれぞれアップリンク送信マネジャ（図２および４）を含み得るＬＴＥネットワークアーキテクチャにおけるアクセスネットワーク６００の例を例示する図である。一態様において、ＵＥ６０６はＵＥ２０２と同じまたは類似し得、および／または、セル６０２はセル２２２と同じまたは類似し得る。この例では、アクセスネットワーク６００が、多数のセルラ領域（セル）６０２に分割されている。１つまたは複数のより低い電力クラスのｅＮＢ６０８は、セル６０２のうちの１つまたは複数と重複するセルラ領域６１０を有し得る。より低い電力クラスのｅＮＢ６０８は、フェムトセル（たとえば、ホームｅＮＢ（ＨｅＮＢ））、ピコセル、マイクロセル、または遠隔無線ヘッド（ＲＲＨ）であり得る。マクロｅＮＢ６０４は、各々、それぞれのセル６０２に割り当てられ、セル６０２中の全てのＵＥ６０６にＥＰＣ５１０へのアクセスポイントを提供するように構成される。アクセスネットワーク６００のこの例では集中型コントローラ（centralized controller）は存在しないが、代替の構成では、集中型コントローラが使用され得る。ｅＮＢ６０４は、無線ベアラ制御、アドミッション制御、モビリティ制御、スケジューリング、セキュリティ、およびサービングゲートウェイ５１６への接続性を含む、全ての無線に関連する機能を担う。
【００５４】
[0065]  アクセスネットワーク６００によって用いられる変調および多元接続スキームは、展開されている特定の電気通信規格に依存して変化し得る。ＬＴＥアプリケーションでは、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。以下に続く詳細な説明から当業者が容易に理解するように、本明細書に提示される様々な概念は、ＬＴＥアプリケーションによく適している。しかしながら、これらの概念は、他の変調および多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリの一部として、３世代パートナーシッププロジェクト２（３ＧＰＰ２）によって公表されたエアインタフェース規格（air interface standards）であり、ブロードバンドインターネットアクセスをモバイル局に提供するためにＣＤＭＡを用いる。
【００５５】
[0066]  これらの概念はまた、広帯域ＣＤＭＡ（Ｗ−ＣＤＭＡ）およびＴＤ−ＳＣＤＭＡのようなＣＤＭＡの他の変形を用いる、ユニバーサル地上無線アクセス（ＵＴＲＡ）；ＴＤＭＡを用いる移動体通信のためのグローバルシステム（ＧＳＭ（登録商標））；およびＯＦＤＭＡを用いる、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭ、に拡張され得る。ＵＴＲＡ、Ｅ−ＵＴＲＡ、ＵＭＴＳ、ＬＴＥ、およびＧＳＭは、３ＧＰＰ団体からの文書中で説明されている。ＣＤＭＡ２０００およびＵＭＢは、３ＧＰＰ２団体からの文書中で説明されている。用いられる実際のワイヤレス通信規格および多元接続技術は、特定の用途およびシステムに課された全体的な設計の制約に依存するだろう。
【００５６】
[0067]  ｅＮＢ６０４は、ＭＩＭＯ技術をサポートする複数のアンテナを有し得る。ＭＩＭＯ技術の使用は、ｅＮＢ６０４が、空間多重化、ビームフォーミング、および送信ダイバーシティをサポートするために空間ドメインを活用することを可能にする。空間多重化は、同じ周波数上で同時にデータの異なるストリームを送信するために使用され得る。データストリームは、データレートを増大させるよう単一のＵＥ６０６に、または、全体のシステム容量を増大させるよう多数のＵＥ６０６に、送信され得る。これは、各データストリームを空間的にプリコーディングし（すなわち、振幅および位相のスケーリングを適用し）、その後、ＤＬ上で多数の送信アンテナを通して各空間的にプリコーディングされたストリームを送信することによって達成される。空間的にプリコーディングされたデータストリームは、異なる空間シグネチャとともにＵＥ６０６（１つまたは複数）に到達し、それは、ＵＥ６０６（１つまたは複数）の各々が、そのＵＥ６０６宛ての１つまたは複数のデータストリームを復元することを可能にする。ＵＬ上で、各ＵＥ６０６は、空間的にプリコーディングされたデータストリームを送信し、それは、ｅＮＢ６０４が、各空間的にプリコーディングされたデータストリームのソースを識別することを可能にする。
【００５７】
[0068]  空間多重化は、一般に、チャネル状態が良好なときに使用される。チャネル状態があまり良好でないときは、１つまたは複数の方向に送信エネルギーを集中させるために、ビームフォーミングが使用され得る。これは、複数のアンテナを通した送信のためにデータを空間的にプリコーディングすることによって達成され得る。セルの端において良好なカバレッジを達成するために、単一ストリームのビームフォーミング送信が、送信ダイバーシティと組み合わせて使用され得る。
【００５８】
[0069]  次の詳細な説明において、アクセスネットワークの様々な態様は、ＤＬにおいてＯＦＤＭをサポートするＭＩＭＯシステムに関連して説明されるだろう。ＯＦＤＭは、ＯＦＤＭシンボル内の多数のサブキャリアにわたってデータを変調するスペクトラム拡散技術（spread-spectrum technique）である。サブキャリアは、正確な周波数で間隔を空けられる（spaced apart）。この間隔を空けること（spacing）は、レシーバがサブキャリアからのデータを復元することを可能にする「直交性（orthogonality）」を提供する。時間ドメインでは、ＯＦＤＭシンボル間干渉（inter-OFDM-symbol interference）に対抗する（combat）ために、各ＯＦＤＭシンボルにガードインターバル（たとえば、サイクリックプリフィックス）が追加され得る。ＵＬは、高いピーク対平均電力比（ＰＡＰＲ：peak-to-average power ratio）を補償（compensate for）するために、ＤＦＴ拡散ＯＦＤＭ信号の形態でＳＣ−ＦＤＭＡを使用し得る。
【００５９】
[0070]  図７は、ＬＴＥにおけるＤＬフレーム構造の例を例示する図７００であり、それは、ＵＥ２０２（図２）のようなＵＥによって受信され得る。フレーム（１０ｍｓ）は、１０個の等しいサイズのサブフレームに分割され得る。各サブフレームは、２つの連続する時間スロットを含み得る。リソースグリッドは、２つのタイムスロットを表わすために使用され得、各タイムスロットは、リソースブロックを含む。リソースグリッドは、複数のリソース要素に分割される。ＬＴＥでは、リソースブロックは、周波数ドメインに１２個の連続するサブキャリア（consecutive subcarriers）と、各ＯＦＤＭシンボルの中の通常のサイクリックプリフィックスに関しては、時間ドメインに７つの連続するＯＦＤＭシンボルとを、すなわち、８４のリソース要素を、包含（contain）する。拡張されたサイクリックプリフィックスに関しては、リソースブロックは、時間ドメインに６つの連続するＯＦＤＭシンボルを包含し、７２のリソース要素を有する。Ｒ７０２、７０４として示されるような、リソース要素のうちのいくつかは、ＤＬ基準信号（ＤＬ−ＲＳ：DL reference signals）を含む。ＤＬ−ＲＳは、セル固有ＲＳ（ＣＲＳ：Cell-specific RS）（時折、共通ＲＳと呼ばれることもある）７０２およびＵＥ固有ＲＳ（ＵＥ−ＲＳ：UE-specific RS）７０４を含む。ＵＥ−ＲＳ７０４は、対応する物理ＤＬ共有チャネル（ＰＤＳＣＨ）がマッピングされるリソースブロック上でのみ送信される。各リソース要素によって搬送されるビット数は、変調スキームに依存する。このことから、アップリンク送信マネジャ２０６を含む図２のＵＥ２０２のようなＵＥが受信するリソースブロックがより多いほど、および変調スキームがより高度であるほど、ＵＥのためのデータレートはより高くなる。
【００６０】
[0071]  図８は、ＬＴＥにおいてＵＬフレーム構造の例を例示する図８００であり、それは、本明細書で説明されるように、アップリンク送信マネジャ２０６（図２および４）を含み得るＵＥ２０２（図２）のようなＵＥによって送信され得る。ＵＬのために利用可能なリソースブロックは、データセクションと制御セクションとに区分され得る。制御セクションは、システム帯域幅の２つの端で形成され得、構成可能なサイズを有し得る。制御セクションにおけるリソースブロックは、制御情報の送信のためにＵＥに割り当てられ得る。データセクションは、制御セクション中に含まれない全てのリソースブロックを含み得る。ＵＬフレーム構造は、隣接するサブキャリア（contiguous subcarriers）を含むデータセクションをもたらし、それは、単一のＵＥが、データセクション中の隣接するサブキャリアの全てを割り当てられることを可能にし得る。
【００６１】
[0072]  アップリンク送信マネジャ１０６を含むＵＥ２０２（図２）のようなＵＥは、制御情報をｅＮＢに送信するために、制御セクション中のリソースブロック８１０ａ、８１０ｂを割り当てられ得る。ＵＥはまた、データをｅＮＢに送信するために、データセクションにおけるリソースブロック８２０ａ、８２０ｂを割り当てられ得る。ＵＥは、制御セクションにおける割り当てられたリソースブロック上の物理ＵＬ制御チャネル（ＰＵＣＣＨ）中で制御情報を送信し得る。ＵＥは、データセクションにおける割り当てられたリソースブロック上の物理ＵＬ共有チャネル（ＰＵＳＣＨ）中でデータのみ、またはデータと制御情報との両方を送信し得る。ＵＬ送信は、サブフレームの両方のスロットにまたがり、周波数にわたってホッピングし得る。
【００６２】
[0073]  リソースブロックのセットは、初期システムアクセスを行い、物理ランダムアクセスチャネル（ＰＲＡＣＨ）８３０中で、ＵＬ同期を達成するために使用され得る。ＰＲＡＣＨ８３０は、ランダムシーケンスを搬送するが、何れのＵＬデータ／シグナリングも搬送することはできない。各ランダムアクセスプリアンブルは、６つの連続するリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨに関して、周波数ホッピングは存在しない。ＰＲＡＣＨの試みは、単一のサブフレーム（１ｍｓ）の中で、または少数の隣接するサブフレームのシーケンスの中で搬送され、ＵＥは、１フレーム（１０ｍｓ）ごとに単一のＰＲＡＣＨの試みのみを行うことができる。
【００６３】
[0074]  図９は、ＬＴＥにおけるユーザおよび制御プレーンのための無線プロトコルアーキテクチャの例を例示する図９００である。無線プロトコルアーキテクチャは、ＵＥによって使用され得、そのようなＵＥ２０２（図２）、アップリンク送信マネジャ２０６、およびｅＮＢ、その無線アーキテクチャは、３つのレイヤ：レイヤ１、レイヤ２、および、レイヤ３、を含む。レイヤ１（Ｌ１レイヤ）は、最下位のレイヤであり、様々な物理レイヤ信号処理機能をインプリメントする。Ｌ１レイヤは、本明細書において物理レイヤ９０６と称される。レイヤ２（Ｌ２レイヤ）９０８は、物理レイヤ９０６より上位にあり、物理レイヤ９０６上でＵＥとｅＮＢとの間のリンクを担う。
【００６４】
[0075]  ユーザプレーンにおいて、Ｌ２レイヤ９０８は、媒体アクセスコントロール（ＭＡＣ）サブレイヤ９１０、無線リンク制御（ＲＬＣ：radio link control）サブレイヤ９１２、およびパケットデータコンバージェンスプロトコル（ＰＤＣＰ：packet data convergence protocol）９１４サブレイヤを含み、それらは、ネットワーク側のｅＮＢで終端される。示されていないが、ＵＥは、ネットワーク側のＰＤＮゲートウェイ５１８で終端されるネットワークレイヤ（たとえば、ＩＰレイヤ）、および接続の他端（たとえば、遠端ＵＥ、サーバ等）で終端されるアプリケーションレイヤを含む、Ｌ２レイヤ９０８よりも上位のいくつかの上位レイヤを有し得る。
【００６５】
[0076]  ＰＤＣＰサブレイヤ９１４は、異なる無線ベアラと論理チャネルとの間での多重化を提供する。ＰＤＣＰサブレイヤ９１４はまた、無線送信オーバヘッドを低減させるための上位レイヤデータパケットのためのヘッダ圧縮、データパケットを暗号化することによるセキュリティ、およびｅＮＢ間のＵＥのためのハンドオーバサポートを提供する。ＲＬＣサブレイヤ９１２は、上位レイヤデータパケットのセグメンテーション（segmentation）およびリアセンブリ（reassembly）と、紛失データパケットの再送信と、ハイブリッド自動再送要（ＨＡＲＱ：hybrid automatic repeat request）に起因した順序の狂った受信を補正するためのデータパケットの並べ替えとを提供する。ＭＡＣサブレイヤ９１０は、論理チャネルとトランスポートチャネルとの間での多重化を提供する。ＭＡＣサブレイヤ９１０はまた、複数のＵＥの間で１つのセル中の様々な無線リソース（たとえば、リソースブロック）を割り振ることを担う。ＭＡＣサブレイヤ９１０はまた、ＨＡＲＱオペレーションも担う。
【００６６】
[0077]  制御プレーンでは、ＵＥおよびｅＮＢのための無線プロトコルアーキテクチャは、制御プレーンのためのヘッダ圧縮機能がないという点を除き、物理レイヤ９０６およびＬ２レイヤ９０８の場合と実質的に同じである。制御プレーンはまた、レイヤ３（Ｌ３レイヤ）において無線リソース制御（ＲＲＣ）サブレイヤ９１６を含む。ＲＲＣサブレイヤ９１６は、無線リソース（すなわち、無線ベアラ）を取得することと、ｅＮＢとＵＥとの間でＲＲＣシグナリングを使用してより下位のレイヤを構成することとを担う。
【００６７】
[0078]  図１０は、アクセスネットワークにおいてＵＥ１０５０と通信しているｅＮＢ１０１０のブロック図である。ＵＥ１０５０は、図２のアップリンク送信マネジャ２０６を含むＵＥ２０２と同じであり得るかまたは類似し得る。ＤＬでは、コアネットワークからの上位レイヤパケットが、コントローラ／プロセッサ１０７５に提供される。コントローラ／プロセッサ１０７５は、Ｌ２レイヤの機能性をインプリメントする。ＤＬにおいて、コントローラ／プロセッサ１０７５は、様々な優先度メトリックに基づいて、ＵＥ１０５０への無線リソース割り振り、論理チャネルとトランスポートチャネルとの間での多重化、パケットセグメンテーションおよび並び替え、暗号化、およびヘッダ圧縮を提供する。コントローラ／プロセッサ１０７５はまた、ＵＥ１０５０へのシグナリング、損失パケットの再送信、およびＨＡＲＱオペレーションを担う。
【００６８】
[0079]  送信（ＴＸ）プロセッサ１０１６は、Ｌ１レイヤ（すなわち、物理レイヤ）のための様々な信号処理機能をインプリメントする。信号処理機能は、ＵＥ１０５０での前方誤り訂正（ＦＥＣ：forward error correction）を容易にするためにコーディングおよびインターリーブすることと、様々な変調スキーム（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ）、Ｍ直交振幅変調（Ｍ−ＱＡＭ：M-quadrature amplitude modulation））に基づいて、信号コンステレーション（signal constellations)にマッピングすることとを含む。符号化および変調されたシンボルは、その後、並列ストリーム（parallel streams）に分けられる。各ストリームは、その後、時間ドメインＯＦＤＭシンボルストリームを搬送する物理チャネルを生じさせるために、ＯＦＤＭサブキャリアにマッピングされ、時間および／または周波数ドメイン中において基準信号（たとえば、パイロット）で多重化され、その後、逆高速フーリエ変換（ＩＦＦＴ：Inverse Fast Fourier Transform）を使用して、共に組み合わされる。ＯＦＤＭストリームは、複数の空間ストリームを生じさせるために空間的にプリコーディングされる。チャネル推定器１０７４からのチャネル推定値は、コーディングおよび変調スキームを決定するために、ならびに空間処理のためにも使用され得る。チャネル推定値は、ＵＥ１０５０によって送信された基準信号および／またはチャネル条件フィードバックから導出され得る。次いで、各空間ストリームが、別個のトランスミッタ１０１８ＴＸを介して異なるアンテナ１０２０に提供される。各トランスミッタ１０１８ＴＸは、送信のために、それぞれの空間ストリームを用いてＲＦキャリアを変調する。
【００６９】
[0080]  ＵＥ１０５０において、各レシーバ１０５４ＲＸは、それのそれぞれのアンテナ１０５２を通じて信号を受信する。各レシーバ１０５４ＲＸは、ＲＦキャリア上に変調された情報を復元し、その情報を受信（ＲＸ）プロセッサ１０５６に提供する。ＲＸプロセッサ１０５６は、Ｌ１レイヤの様々な信号処理機能をインプリメントする。ＲＸプロセッサ１０５６は、ＵＥ１０５０に宛てられた任意の空間ストリームを復元するために情報に対して空間処理を行う。複数の空間ストリームがＵＥ１０５０に宛てられる場合、それらは、ＲＸプロセッサ１０５６によって単一のＯＦＤＭシンボルストリームに組み合わされ得る。
【００７０】
[0081]  ＲＸプロセッサ１０５６は、その後、高速フーリエ変換（ＦＦＴ：Fast Fourier Transform）を使用して、ＯＦＤＭシンボルストリームを時間ドメインから周波数ドメインにコンバートする（convert）。周波数ドメイン信号は、ＯＦＤＭ信号の各サブキャリアのために別個のＯＦＤＭシンボルストリームを備える。各サブキャリア上のシンボル、および基準信号は、ｅＮＢ１０１０によって送信された最も可能性の高い信号コンステレーションポイントを決定することによって、復元および復調される。これらの軟判定は、チャネル推定器１０５８によって計算されるチャネル推定値に基づき得る。軟判定は、その後、物理チャネル上でｅＮＢ１０１０によって当初送信されたデータおよび制御信号を復元するために復号およびデインターリーブされる。データおよび制御信号は、その後、コントローラ／プロセッサ１０５９に提供される。
【００７１】
[0082]  コントローラ／プロセッサ１０５９は、Ｌ２レイヤをインプリメントする。コントローラ／プロセッサは、プログラムコードおよびデータを記憶するメモリ１０６０と関連付けられることができる。メモリ１０６０は、コンピュータ可読媒体と称され得る。ＵＬでは、コントローラ／プロセッサ１０５９は、コアネットワークからの上位レイヤパケットを復元するために、トランスポートチャネルと論理チャネルの間の逆多重化、パケットのリアセンブリ、暗号解読（deciphering）、ヘッダ圧縮解除、制御信号処理を提供する。上位レイヤパケットは、その後、データシンク１０６２に提供され、それは、Ｌ２レイヤより上位の全てのプロトコルレイヤを表わす。様々な制御信号もまた、Ｌ３処理のためにデータシンク１０６２に提供され得る。コントローラ／プロセッサ１０５９はまた、ＨＡＲＱオペレーションをサポートするために、肯定応答（ＡＣＫ）および／または否定応答（ＮＡＣＫ）プロトコルを使用する誤り検出を担う。
【００７２】
[0083]  ＵＬでは、データソース１０６７は、コントローラ／プロセッサ１０５９に上位レイヤパケットを提供するために使用される。データソース１０６７は、Ｌ２レイヤより上位の全てのプロトコルレイヤを表わす。ｅＮＢ１０１０によるＤＬ送信に関して説明された機能性と同様に、コントローラ／プロセッサ１０５９は、ｅＮＢ１０１０による無線リソース割り振りに基づいて、論理チャネルとトランスポートチャネルとの間での多重化、パケットセグメント化および並べ替え、暗号化、およびヘッダ圧縮を提供することによって、ユーザプレーンおよび制御プレーンのためのＬ２レイヤをインプリメントする。コントローラ／プロセッサ１０５９はまた、ｅＮＢ１０１０へのシグナリング、損失パケットの再送信、およびＨＡＲＱオペレーションを担う。
【００７３】
[0084]  ｅＮＢ１０１０によって送信されるフィードバックまたは基準信号からチャネル推定器１０５８によって導出されるチャネル推定値は、適した（appropriate）コーディングおよび変調スキームを選択するために、および空間処理を容易にするために、ＴＸプロセッサ１０６８によって使用され得る。ＴＸプロセッサ１０６８によって生成される空間ストリームは、別個のトランスミッタ１０５４ＴＸを介して異なるアンテナ１０５２に提供される。各トランスミッタ１０５４ＴＸは、送信のために、それぞれの空間ストリームを用いてＲＦキャリアを変調する。
【００７４】
[0085]  ＵＬ送信は、ＵＥ１０５０でのレシーバ機能に関連して説明されたのと同様の方法でｅＮＢ１０１０で処理される。各レシーバ１０１８ＲＸは、それのそれぞれのアンテナ１０２０を通じて信号を受信する。各レシーバ１０１８ＲＸは、ＲＦキャリア上で変調された情報を復元し、その情報をＲＸプロセッサ１０７０に提供する。ＲＸプロセッサ１０７０は、Ｌ１レイヤをインプリメントし得る。
【００７５】
[0086]  コントローラ／プロセッサ１０７５は、Ｌ２レイヤをインプリメントする。コントローラ／プロセッサ１０７５は、プログラムコードおよびデータを記憶するメモリ１０７６と関連付けられることができる。メモリ１０７６は、コンピュータ可読媒体と称され得る。ＵＬにおいて、コントローラ／プロセッサ１０７５は、ＵＥ１０５０からの上位レイヤパケットを復元するために、トランスポートチャネルと論理チャネルの間の逆多重化、パケットのリアセンブリ、暗号解読、ヘッダ圧縮解除、制御信号処理を提供する。コントローラ／プロセッサ１０７５からの上位レイヤパケットは、コアネットワークに提供され得る。コントローラ／プロセッサ１０７５はまた、ＨＡＲＱオペレーションをサポートするために、ＡＣＫおよび／またはＮＡＣＫプロトコルを使用した誤り検出も担う。
【００７６】
[0087]  図１１を参照すると、データフロー１１００は、本開示の一態様による装置例１１１８における異なるモジュール／手段／コンポーネントの間のフロー例を、例示する。装置は、図２のアップリンク送信マネジャ２０６を含むＵＥ２０２のような、ＵＥであり得る。装置１１１８は、基地局１１５０（たとえば、セル２２２）からワイヤレス情報１１０２を受信するための、受信コンポーネント１１３６を含む。さらに、ＵＥにおける送信のために利用可能なデータよりも大きな数のリソースがある場合、装置１１１８は、ＵＥのための、第１の無線アクセス技術（ＲＡＴ）と関連付けられた、アップリンク（ＵＬ）リソースグラントは、未使用のリソースであるという結果になることを決定する、リソース決定コンポーネント４０２を含む。さらに、装置１１１８は、媒体アクセスコントロール（ＭＡＣ）レイヤにおいて、未使用のリソース１１２２を疑似ランダム化されたビットでポピュレートするためのポピュレーティングコンポーネント４０４を、含み得る。一態様において、セルラトランシーバ２０４は、受信コンポーネント１１３６の一部であることができるだろう。
【００７７】
[0088]  加えて、装置１１１８は、第１のＲＡＴと関連付けられたＵＬリソースグラントを使用して、ポピュレートされた未使用のリソース１１２４および利用可能なデータの少なくとも一部分を、送信するための、送信コンポーネント４０６を含み得る。さらなる態様では、状態更新コンポーネント４０８は、ＬＦＳＲの内容を１または複数ビット右にシフトすることによって、ＬＦＳＲ状態の状態を更新するために、ポピュレートされた未使用のリソース１１２６を、受信し得る。さらに、送信コンポーネント１１１４は、疑似ランダム化されたビットの形態の１つまたは複数の通信１１１６を、ネットワークエンティティ２２０および／またはセル２２２を含む、１つまたは複数のネットワークエンティティに、送り／送信し得る。
【００７８】
[0089]  この装置は、前述の図３のフローダイヤグラムにおけるアルゴリズムのステップの各々を行う追加的なモジュールを含み得る。このように、図３の前述のフロー図における各ステップは、モジュールまたはコンポーネントによって行われ得、その装置は、それらのモジュールのうちの１つまたは複数を含み得る。それらモジュールは、プロセッサによるインプリメンテーションのためにコンピュータ可読媒体内に記憶されるか、記載された処理／アルゴリズムを実行するように構成されたプロセッサによってインプリメントされるか、記載された処理／アルゴリズムを行うように特に構成される１つまたは複数のハードウェアコンポーネントであるか、またはそれらの何らかの組み合わせであり得る。
【００７９】
[0090]  図１２は、処理システム１２１４を用いる装置１２０１についてのハードウェアインプリメンテーションの例を例示する図１２００である。処理システム１２１４は、一般にバス１２２４によって表わされる、バスアーキテクチャを用いてインプリメントされ得る。バス１２２４は、処理システム１２１４の特定の用途および全体的な設計制約に依存して、任意の数の相互接続バスおよびブリッジを含み得る。バス１２２４は、プロセッサ１２０４、コンポーネント４０２、４０４、４０６、４０８、１１３６、１１１４、およびコンピュータ可読媒体１２０６で表わされる、１つまたは複数のプロセッサおよび／またはハードウェアモジュールを含む様々な回路を互いにリンクする。バス１２２４はまた、タイミングソース、周辺機器、電圧レギュレータ、および電力管理回路のような様々な他の回路をリンクし得るが、それらは、当該技術分野で周知であり、したがって、これ以上は説明されない。一態様において、セルラトランシーバ２０４および／またはＧＮＳＳレシーバ２１０は、トランシーバ１２１０の一部分であることができるだろう。
【００８０】
[0091]  処理システム１２１４は、トランシーバ１２１０に結合され得る。トランシーバ１２１０は、１つまたは複数のアンテナ１２２０に結合される。トランシーバ１２１０は、送信媒体を介して様々な他の装置と通信するための手段を提供する。処理システム１２１４は、コンピュータ可読媒体１２０６に結合されたプロセッサ１２０４を含む。プロセッサ１２０４は、コンピュータ可読媒体１２０６上に記憶されたソフトウェアの実行を含む、一般的な処理を担う。ソフトウェアは、プロセッサ１２０４によって実行されたとき、処理システム１２１４に、任意の特定の装置に関して上記に説明された様々な機能を行わせる。コンピュータ可読媒体１２０６はまた、ソフトウェアを実行するときに、プロセッサ１２０４によって操作されるデータを記憶するために使用され得る。
【００８１】
[0092]  処理システムは、コンポーネント４０２、４０４、４０６、４０８、１１３６、および／または１１１４のうちの少なくとも１つをさらに含む。コンポーネントは、プロセッサ１２０４内において実行中（running）の、コンピュータ可読媒体１２０６内において存在する（resident）／記憶された、ソフトウェアモジュール、プロセッサ１２０４に結合された１つまたは複数のハードウェアモジュール、またはそれらの何らかの組み合わせであり得る。処理システム１２１４は、ＵＥ１０５０（図１０）のコンポーネントであり得、メモリ１０６０、および／または、ＴＸプロセッサ１０６８、ＲＸプロセッサ１０５６、およびコントローラ／プロセッサ１０５９のうちの少なくとも１つを含み得る。他の態様では、処理システム１２１４は、アップリンク送信マネジャ２０６を含むＵＥ１０５０（図１０）のコンポーネントであり得る。
【００８２】
[0093]  開示された処理におけるステップの特定の順序または階層は、複数のアプローチ例のうちの１つの実例であるということは理解される。設計の選好に基づいて、これらのプロセスにおけるステップの特定の順序または階層が並べ替えられ得ることは理解される。さらに、いくつかのステップは、組み合わされるか、または省略され得る。添付の方法の請求項は、サンプルの順序で様々なステップの要素を提示しており、提示された特定の順序または階層に限定されるようには意図されない。
【００８３】
[0094]  先の説明は、如何なる当業者にも、本明細書に説明された様々な態様を実施することを可能にするために、提供される。これらの態様への様々な修正は、当業者にとって容易に明らかとなり、本明細書において定義された包括的な原理は、他の態様に適用され得る。このことから、特許請求の範囲は、本明細書に示された態様に限定されるように意図されておらず、特許請求の範囲の文言と一致する全範囲を付与されるべきであり、ここにおいて、単数形での要素への言及は、そのように明確に記載されない限りは「１つおよび１つのみ」を意味するように意図されておらず、むしろ「１つまたは複数」を意味するように意図されている。そうでないと明確に記載されない限り、「何らかの／いくつかの（some）」という用語は、１つまたは複数を指す。当業者に既知のまたは後に知られることとなる本開示の全体にわたって説明された様々な態様の要素と構造的および機能的に同等なものは全て、参照によって本明細書に明確に組み込まれ、特許請求の範囲に包含される（encompassed）よう意図される。さらに、そのような開示が、特許請求の範囲の中に明示的に記載されているかに関わらず、本明細書で開示されたものは、公に捧げられることを意図していない。要素が「〜のための手段」という表現（phrase）を使用して明確に記載されていない限り、何れの特許請求の範囲の要素も、ミーンズプラスファンクションとして解釈されるべきではない。
以下に本願の出願当初の特許請求の範囲に記載された発明を付記する。
[Ｃ１]  ユーザ機器（ＵＥ）による、ワイヤレス通信のための方法であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定することと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートすることと、
前記第１のＲＡＴと関連付けられた前記ＵＬリソースグラントを使用して、前記ポピュレートされた未使用のリソースおよび前記利用可能なデータの少なくとも一部分を、送信することと、
を備える、方法。
[Ｃ２]  前記ポピュレートすることは、
Ｍ系列（ＭＬＳ）を生成して前記ＭＡＣレイヤにおける第１のバッファに前記ＭＬＳを記憶することと、
前記ＭＬＳのビット反転を行って前記ビット反転の出力を、前記ＭＡＣレイヤにおける第２のバッファに記憶することと、
前記ＭＡＣレイヤにおいて非ゼロ値で線形フィードバックシフトレジスタ（ＬＦＳＲ）を開始することと、
前記ＬＦＳＲの最下位ビット（ＬＳＢ）の値がゼロであるとき、前記第１のバッファの内容をＭＡＣ送信バッファにコピーすることと、
を備える、
Ｃ１に記載の方法。
[Ｃ３]  前記ＬＦＳＲの内容を１つまたは複数のビット右にシフトすることによって、前記ＬＦＳＲの状態を更新すること、
をさらに備える、
Ｃ２に記載の方法。
[Ｃ４]  前記ＬＦＳＲの前記ＬＳＢの前記値が１であるとき、前記第２のバッファの内容を前記ＭＡＣ送信バッファにコピーすること、
をさらに備える、
Ｃ２に記載の方法。
[Ｃ５]  前記ポピュレートすることは、
前記ＬＦＳＲの内容を１つまたは複数のビット右にシフトすることによって、前記ＬＦＳＲの状態を更新することと、
接続タップを使用して前記更新の出力に対して排他的ＯＲ（ＸＯＲ）演算を行うことと、ここにおいて、前記接続タップは前記ＬＦＳＲにおけるビット位置である、
をさらに備える、
Ｃ４に記載の方法。
[Ｃ６]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ１に記載の方法。
[Ｃ７]  前記第１のＲＡＴは、ＬＴＥバンド番号１３で動作しており、前記第２のＲＡＴは、ＧＮＳＳ  Ｌ１バンドで動作している、
Ｃ６に記載の方法。
[Ｃ８]  ユーザ機器（ＵＥ）による、ワイヤレス通信のための装置であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するための手段と、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするための手段と、
前記第１のＲＡＴと関連付けられた前記ＵＬリソースグラントを使用して、前記ポピュレートされた未使用のリソースおよび前記利用可能なデータの少なくとも一部分を、送信するための手段と、
を備える、装置。
[Ｃ９]  前記ポピュレートするための手段は、
Ｍ系列（ＭＬＳ）を生成して前記ＭＡＣレイヤにおける第１のバッファに前記ＭＬＳを記憶するための手段と、
前記ＭＬＳのビット反転を行って前記ビット反転の出力を、前記ＭＡＣレイヤにおける第２のバッファに記憶するための手段と、
前記ＭＡＣレイヤにおいて非ゼロ値で線形フィードバックシフトレジスタ（ＬＦＳＲ）を開始するための手段と、
前記ＬＦＳＲの最下位ビット（ＬＳＢ）の値がゼロであるとき、前記第１のバッファの内容をＭＡＣ送信バッファにコピーするための手段と、
を備える、
Ｃ８に記載の装置。
[Ｃ１０]  前記ＬＦＳＲの内容を１つまたは複数のビット右にシフトすることによって、前記ＬＦＳＲの状態を更新するための手段、
をさらに備える、
Ｃ９に記載の装置。
[Ｃ１１]  前記ＬＦＳＲの前記ＬＳＢの前記値が１であるとき、前記第２のバッファの内容を前記ＭＡＣ送信バッファにコピーするための手段、
をさらに備える、
Ｃ９に記載の装置。
[Ｃ１２]  前記ポピュレートするための手段は、
前記ＬＦＳＲの内容を１つまたは複数のビット右にシフトすることによって、前記ＬＦＳＲの状態を更新するための手段と、
接続タップを使用して前記更新の出力に対して排他的ＯＲ（ＸＯＲ）演算を行うための手段と、ここにおいて、前記接続タップは前記ＬＦＳＲにおけるビット位置である、
をさらに備える、
Ｃ１１に記載の装置。
[Ｃ１３]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ８に記載の装置。
[Ｃ１４]  前記第１のＲＡＴは、ＬＴＥバンド番号１３で動作しており、前記第２のＲＡＴは、ＧＮＳＳ  Ｌ１バンドで動作している、
Ｃ１３に記載の装置。
[Ｃ１５]  ユーザ機器（ＵＥ）において、ワイヤレス通信のためのコンピュータ実行可能コードを記憶するコンピュータ可読媒体であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するためのコードと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするためのコードと、
前記第１のＲＡＴと関連付けられた前記ＵＬリソースグラントを使用して、前記ポピュレートされた未使用のリソースおよび前記利用可能なデータの少なくとも一部分を、送信するためのコードと、
を備える、コンピュータ可読媒体。
[Ｃ１６]  前記ポピュレートするためのコードは、
Ｍ系列（ＭＬＳ）を生成して前記ＭＡＣレイヤにおける第１のバッファに前記ＭＬＳを記憶するためのコードと、
前記ＭＬＳのビット反転を行って前記ビット反転の出力を、前記ＭＡＣレイヤにおける第２のバッファに記憶するためのコードと、
前記ＭＡＣレイヤにおいて非ゼロ値で線形フィードバックシフトレジスタ（ＬＦＳＲ）を開始するためのコードと、
前記ＬＦＳＲの最下位ビット（ＬＳＢ）の値がゼロであるとき、前記第１のバッファの内容をＭＡＣ送信バッファにコピーするためのコードと、
をさらに備える、
Ｃ１５に記載のコンピュータ可読媒体。
[Ｃ１７]  前記ＬＦＳＲの内容を１つまたは複数のビット右にシフトすることによって、前記ＬＦＳＲの状態を更新するためのコード、
をさらに備える、
Ｃ１６に記載のコンピュータ可読媒体。
[Ｃ１８]  前記ＬＦＳＲの前記ＬＳＢの前記値が１であるとき、前記第２のバッファの内容を前記ＭＡＣ送信バッファにコピーするためのコード、
をさらに備える、
Ｃ１６に記載のコンピュータ可読媒体。
[Ｃ１９]  前記ポピュレートするためのコードは、
前記ＬＦＳＲの内容を１つまたは複数のビット右にシフトすることによって、前記ＬＦＳＲの状態を更新するためのコードと、
接続タップを使用して前記更新の出力に対して排他的ＯＲ（ＸＯＲ）演算を行うためのコードと、ここにおいて、前記接続タップは前記ＬＦＳＲにおけるビット位置である、
をさらに備える、
Ｃ１８に記載のコンピュータ可読媒体。
[Ｃ２０]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ１５に記載のコンピュータ可読媒体。
[Ｃ２１]  前記第１のＲＡＴは、ＬＴＥバンド番号１３で動作しており、前記第２のＲＡＴは、ＧＮＳＳ  Ｌ１バンドで動作している、
Ｃ２０に記載のコンピュータ可読媒体。
[Ｃ２２]  ワイヤレス通信のためのユーザ機器であって、
前記ＵＥにおける送信のために利用可能なデータよりも大きな数のリソースがある場合、前記ＵＥのための、第１の無線アクセス技術（ＲＡＴ）と関連付けられた、アップリンク（ＵＬ）リソースグラントは、未使用のリソースであるという結果になることを決定するように構成されたリソース決定コンポーネントと、ここにおいて、前記ＵＥは、第２のＲＡＴと関連付けられた情報を受信するように構成され、前記第１のＲＡＴは前記第２のＲＡＴとは異なる、
媒体アクセスコントロール（ＭＡＣ）レイヤにおいて、前記未使用のリソースを、疑似ランダム化されたビットでポピュレートするように構成されたポピュレーティングコンポーネントと、
前記第１のＲＡＴと関連付けられた前記ＵＬリソースグラントを使用して、前記ポピュレートされた未使用のリソースおよび前記利用可能なデータの少なくとも一部分を、送信するように構成された送信コンポーネントと、
を備える、ユーザ機器。
[Ｃ２３]  前記ポピュレーティングコンポーネントは、
Ｍ系列（ＭＬＳ）を生成して前記ＭＡＣレイヤにおける第１のバッファに前記ＭＬＳを記憶し、
前記ＭＬＳのビット反転を行って前記ビット反転の出力を、前記ＭＡＣレイヤにおける第２のバッファに記憶し、
前記ＭＡＣレイヤにおいて非ゼロ値で線形フィードバックシフトレジスタ（ＬＦＳＲ）を開始し、および、前記ＬＦＳＲの最下位ビット（ＬＳＢ）の値がゼロであるとき、前記第１のバッファの内容をＭＡＣ送信バッファにコピーするようにさらに構成された、
Ｃ２２に記載の装置。
[Ｃ２４]  前記ＬＦＳＲの内容を１つまたは複数のビット右にシフトすることによって、前記ＬＦＳＲの状態を更新するための状態更新コンポーネント、
をさらに備える、
Ｃ２３に記載の装置。
[Ｃ２５]  前記ポピュレーティングコンポーネントは、
前記ＬＦＳＲの前記ＬＳＢの前記値が１であるとき、前記第２のバッファの内容を前記ＭＡＣ送信バッファにコピーする
ようにさらに構成された、
Ｃ２３に記載の装置。
[Ｃ２６]  前記ポピュレーティングコンポーネントは、
前記ＬＦＳＲの内容を１つまたは複数のビット右にシフトすることによって、前記ＬＦＳＲの状態を更新し、および、
接続タップを使用して前記更新の出力に対して排他的ＯＲ（ＸＯＲ）演算を行い、ここにおいて、前記接続タップは前記ＬＦＳＲにおけるビット位置である、
ようにさらに構成された、
Ｃ２５に記載の装置。
[Ｃ２７]  前記第１のＲＡＴは、ロングタームエボリューション（ＬＴＥ）ＲＡＴであり、前記第２のＲＡＴは、全地球航法衛星システム（ＧＮＳＳ）ＲＡＴと関連付けられている、
Ｃ２２に記載の装置。
[Ｃ２８]  前記第１のＲＡＴは、ＬＴＥバンド番号１３で動作しており、前記第２のＲＡＴは、ＧＮＳＳ  Ｌ１バンドで動作している、
Ｃ２７に記載の装置。
【図１Ａ】
0006522734.tif 000002
【図１Ｂ】
0006522734.tif 000003
【図２】
0006522734.tif 000004
【図３】
0006522734.tif 000005
【図４】
0006522734.tif 000006
【図５】
0006522734.tif 000007
【図６】
0006522734.tif 000008
【図７】
0006522734.tif 000009
【図８】
0006522734.tif 000010
【図９】
0006522734.tif 000011
【図１０】
0006522734.tif 000012
【図１１】
0006522734.tif 000013
【図１２】
0006522734.tif 000014